(57)【要約】【課題】接点端子を取り付けるスペースを少なくすることができ、携帯型電子機器の小型化、薄型化、ローコスト化が図れる接点端子の固定構造を提供する。【解決手段】外部の給電端子に当接する接点端子３０と、接点端子を露出させる接点孔２３が形成された第１ケース部材２０と、第１ケース部材の接点孔と対向配置される裏当て材１１を有する第２ケース部材１０と、を備える接点端子の固定構造である。接点端子は接点孔を塞ぐように第１ケース部材の内面に取り付けられ、第１ケース部材と第２ケース部材とを嵌合させることで接点孔の外周部２４と裏当て材とに挟持される。外部機器の端子を接点孔に挿入して接点端子３０に当接させるときに、接点端子が外部機器の端子より受ける応力に対して裏当て材により抗することができるため、接点端子に要求される剛性が小さくなり、接点端子を薄板状に形成することができる。【選択図】図４
2006333072.tif 000002
【特許請求の範囲】
【請求項１】
外部の給電端子に当接する接点端子と、
前記接点端子を露出させる接点孔が形成された第１ケース部材と、
前記第１ケース部材の接点孔と対向配置される裏当て材を有する第２ケース部材と、を備え、
前記接点端子は前記接点孔を塞ぐように前記第１ケース部材の内面に取り付けられ、前記第１ケース部材と前記第２ケース部材とを嵌合させることで前記接点孔の外周部と前記裏当て材とに挟持されることを特徴とする接点端子の固定構造。
【請求項２】
前記第１ケース部材と前記第２ケース部材とを嵌合させた筐体の内部には回路基板が収納され、
前記接点端子には、前記第１ケース部材と前記第２ケース部材とを嵌合させることで前記回路基板に設けられた電極に当接する延長部が延設されていることを特徴とする請求項１に記載の接点端子の固定構造。
【発明の詳細な説明】
【技術分野】
【０００１】
本発明は、携帯用の電子機器等における接点端子の固定構造に関する。
【背景技術】
【０００２】
電源電池として充電可能な二次電池を使用している携帯型の電子機器には、充電用の接点端子を機器ケースに形成した開口部を介して機器ケースの表面に露出するようにしたものがある。このような電子機器では、当該電子機器を充電台に装着するだけで充電台内の給電端子が接点端子に当接するので、電子機器をコネクタ孔を閉塞したまま充電台に装着して充電することが可能である。
【０００３】
例えば、特許文献１に記載の携帯電話機では、充電用の接点端子が回路基板の端部に配置され、ケースの開口部及び電池蓋の開口部を介して筐体の外に露出する構成になっている。
【０００４】
また、電子機器を装着するクレードルを介してパソコンとデータ通信が行える携帯型の電子機器においても、特許文献１における接点端子の場合と同様に、回路基板に配置されたＵＳＢ用のコネクタ端子を機器ケースに形成した開口部を介して機器ケースの外表面に露出するようにしたものがある。上記の電子機器は、クレードルに装着するだけで電子機器のＵＳＢ用通信端子がクレードル内の通信端子に接続される。
【特許文献１】特開２００１−２５１２０７号公報
【発明の開示】
【発明が解決しようとする課題】
【０００５】
しかし、接点端子を回路基板に固定する構成では、接点端子を露出させる開口部（接点孔）を回路基板から離隔して設けることが困難であった。このため、接点孔を回路基板から離隔して設ける場合には、例えば特許文献１に示すように、接点端子を保持するホルダを回路基板に設ける必要があった。このようなホルダを設けると、回路基板上にホルダ用の取り付けスペースが必要となる。
【０００６】
また、接点端子として平板状の金属板を用いる場合には、外部機器に設けられた給電端子に当接させるときに変形しないように充分な剛性を与えるために厚肉にする必要があるとともに、接点端子の回路基板に取り付けられる基部が給電端子の接触時に回路基板から剥がれたり、倒れたりしないように固定する必要があり、回路基板上の取り付けスペースが大きくなる。このように取り付けスペースが大きくなると、装置が大型化し、また部品コストが増大するという問題があった。
【０００７】
本発明の課題は、接点端子を取り付けるスペースを少なくすることができ、携帯型電子機器の小型化、薄型化、ローコスト化が図れる接点端子の固定構造を提供することである。
【課題を解決するための手段】
【０００８】
以上の課題を解決するため、請求項１に記載の発明は、例えば図１〜４に示すように、外部の給電端子に当接する接点端子（３０）と、前記接点端子を露出させる接点孔（２３）が形成された第１ケース部材（外側ケース２０）と、前記第１ケース部材の接点孔と対向配置される裏当て材（１１）を有する第２ケース部材（内側ケース１０）と、を備え、前記接点端子は前記接点孔を塞ぐように前記第１ケース部材の内面に取り付けられ、前記第１ケース部材と前記第２ケース部材とを嵌合させることで前記接点孔の外周部（環状突起２４）と前記裏当て材とに挟持されることを特徴とする接点端子の固定構造である。
【０００９】
請求項１に記載の発明によれば、接点孔を塞ぐように第１ケース部材の内面に接点端子を取り付け、第１ケース部材と第２ケース部材とを嵌合させることで接点孔の外周部と裏当て材とにより接点端子が挟持されるので、外部機器の端子を接点孔に挿入して接点端子３０に当接させるときに、接点端子が外部機器の端子より受ける応力に対して裏当て材により抗することができるため、接点端子に要求される剛性が小さくなり、接点端子を薄板状に形成することができる。このため、接点端子の取り付けに必要なスペースを小さくすることができる。
【００１０】
請求項２に記載の発明は、請求項１に記載の接点端子の固定構造において、前記第１ケース部材と前記第２ケース部材とを嵌合させた筐体（下筐体８）の内部には回路基板（１２）が収納され、前記接点端子には、前記第１ケース部材と前記第２ケース部材とを嵌合させることで前記回路基板に設けられた電極（電極パッド１５）に当接する延長部（３５）が延設されていることを特徴とする。
【００１１】
請求項２に記載の発明によれば、第１ケース部材と第２ケース部材とを嵌合させることで、接点端子に延設された延長部が回路基板に設けられた電極に当接し、接点端子が回路基板の電極に導通するので、接点端子を回路基板上に設ける必要がなく、別々に設けることができる。したがって、接点端子を導通させるのに必要な回路基板上のスペースを小さくすることができる。さらに、接点端子に延長部を延設したことにより、回路基板に対する接点孔の位置の自由度を高めることができる。
【発明の効果】
【００１２】
本発明によれば、接点端子の取り付けに必要なスペースを小さくし、携帯型電子機器の小型化、薄型化、ローコスト化を図ることができる。
【発明を実施するための最良の形態】
【００１３】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１４】
図１は本発明を適用した折畳式の携帯電話機１を電池蓋２７側から見た斜視図である。携帯電話機１は、表示側ユニット２と、操作側ユニット３とがヒンジ部４で接続されている。なお、図１は表示側ユニット２と操作側ユニット３とを折り重ねた状態の携帯電話機１を操作側ユニット３側から見た図である。
【００１５】
表示側ユニット２は、内側ケース６と外側ケース７とからなる上筐体５を有し、上筐体５内に表示装置を備える回路基板（図示せず）が収納されている。
操作側ユニット３は、内側ケース１０と外側ケース２０とからなる下筐体８を有している。操作側ユニットの表示側ユニット２と折り重ねられる面には操作部（図示せず）が設けられており、内側ケース１０内には操作部を構成するキーシート、キーＦＰＣ等（図示せず）が設けられた回路基板１２が収納される（図２参照）。なお、回路基板１２はヒンジ部４に収納される図示しないＦＰＣ基板により上筐体５の回路基板と接続されている。
また、外側ケース２０には内部に充電式電池２８（図４参照）を収納する電池孔２１が設けられている（図３参照）。外側ケース２０には、電池孔２１を塞ぐ電池蓋２７が着脱可能に設けられている。
【００１６】
図２は回路基板１２が取り付けられた内側ケース１０を、外側ケース２０が取り付けられる側から見た斜視図である。図２に示すように、回路基板１２の内側ケース１０側の面には、ヒンジ部４側と反対側の端部に、コネクタ端子１３が設けられている。コネクタ端子１３は外側ケース２０のコネクタ孔２２の中央に配置される。
【００１７】
回路基板１２の外側ケース２０側の面には、電池用端子１４が設けられている。電池用端子１４は電池孔２１に収納される充電式電池２８と接続される。
また、回路基板１２の外側ケース２０側の面には、ヒンジ部４側と反対側の端部の角部２箇所に、電極パッド１５が設けられている。電極パッド１５は回路基板１２に設けられる電源回路（図示せず）に接続される。電源回路は充電式電池２８の充電や、充電式電池２８から装置の駆動回路への電力供給をするための回路である。
【００１８】
内側ケース１０のヒンジ部４と反対側の端部には、後述する接点端子３０の平板部３３を裏当てする裏当て材１１が設けられている。裏当て材１１は平板部３３を裏当てするのに必要な強度が得られるように、断面十字形状に形成されている。
【００１９】
図３は外側ケース２０及び接点端子３０を、内側ケース１０が取り付けられる側から見た分解斜視図である。図３に示すように、外側ケース２０には、中央に電池孔２１が設けられている。なお、電池孔２１は充電式電池２８を収納した状態（図４参照）で電池蓋２７により閉塞される。また、外側ケース２０のヒンジ部４と反対側の端部には、コネクタカバー２９（図１参照）により閉塞されるコネクタ孔２２が設けられている。
【００２０】
コネクタ孔２２の左右側部には、後述する接点端子３０を露出させる接点孔２３が外側ケース２０に設けられている。接点孔２３には、携帯電話機１専用の外部機器（例えば充電用機器等）に設けられた給電端子が挿入される。給電端子を接点端子３０に当接させることで、携帯電話機１への電力供給が可能となる。
【００２１】
２つの接点孔２３の外周部には、それぞれ内側ケース側に突出した環状突起２４が形成されている。環状突起２４により接点孔２３に深さが与えられ、携帯電話機１の使用者が不用意に触れて接点端子３０が汚れることを防ぐことができる。
【００２２】
また、外側ケース２０には、各接点孔２３を閉塞する接点端子３０を取り付けるための位置決め突起２５、取り付け突起２６が設けられている。
位置決め突起２５は、外側ケース２０の各環状突起２４よりもコネクタ孔２２寄りの位置に、内側ケース側に突出してそれぞれ設けられている。位置決め突起２５は後述する接点端子３０に設けられた位置決め孔３４に挿入される。
取り付け突起２６は外側ケース２０の各環状突起２４よりも側方の位置にそれぞれ設けられている。取り付け突起２６は後述する接点端子３０の取り付け孔３２に挿入され、接点端子３０を嵌合固定するために断面略十字形状に形成されている。
【００２３】
２つの接点端子３０は、図３に示すように、互いに左右対称であり、それぞれが取り付け部３１、平板部３３、及び延長部３５を有する。嵌合部は外側ケース２０の取り付け突起２６が挿入される取り付け孔３２を有する。取り付け孔３２の形状は取り付け突起２６の断面形状と同じ略十字形状である。
【００２４】
また、平板部３３には外側ケース２０の位置決め突起２５が挿入される位置決め孔３４が設けられている。取り付け孔３２に取り付け突起２６を挿入し、位置決め孔３４に位置決め突起２５を挿入すると、接点端子３０は平板部３３が接点孔２３を閉塞するように外側ケース２０に取り付けられる。この平板部３３が、外部機器の給電端子に当接する接点となる。
【００２５】
延長部３５は、平板部３３のヒンジ部４寄りの端部から突出し、内側ケース１０に向かって屈曲して設けられている。延長部３５は、内側ケース１０と外側ケース２０とを嵌合させて操作側ユニット３を形成するときに、内側ケース１０に取り付けられた回路基板１２の電極パッド１５に接触し、押圧される（図４参照）。押圧された延長部３５は弾性変形する。延長部３５の先端は弾性力により電極パッド１５に接触するため、接点端子３０と電極パッド１５とを確実に導通させることができる。
延長部３５が平板部３３から突出し、屈曲して設けられているため、接点となる平板部３３を延長部３５の長さだけ、電極パッド１５が設けられた回路基板１２から離隔して配置することが可能である。
【００２６】
図４は図１のIV−IV矢視断面図である。内側ケース１０と外側ケース２０とを嵌合させた状態では、接点端子３０は図４に示すように、接点孔２３を閉塞する平板部３３が環状突起２４と反対側の面から裏当て材１１により裏当てされる。このため、携帯電話機１用の外部機器に設けられた給電端子を接点孔２３に挿入して接点端子３０の平板部３３に当接させる場合にも、平板部３３が給電端子より力を受けて変形するのを防止することができる。
【００２７】
内側ケース１０と外側ケース２０とを嵌合させた状態では、接点端子３０の延長部３５は図４に示すように、回路基板１２の電極パッド１５に当接する。したがって、外部機器に設けられた給電端子を接点端子３０と接触させることで、給電端子から接点端子３０及び電極パッド１５を介して回路基板に設けられた電源回路への電力供給が可能となる。
【００２８】
このように、接点端子３０を回路基板１２に固定せずに、接触させることで導通させているため、接点端子３０を回路基板１２上に設ける必要がなく、別々に設けることができる。また、回路基板１２上に電極パッド１５を設けることで接点端子３０を回路基板１２に導通させることができるので、接点端子３０と導通させるのに必要な回路基板１２上のスペースを小さくすることができる。
【００２９】
さらに、接点端子３０に延長部３５を延設したことにより、回路基板１２に対する平板部３３の位置の自由度を高めることができる。したがって、接点孔２３の位置の自由度を高めることができ、携帯型電子機器の小型化、薄型化、ローコスト化を図ることができる。
【００３０】
なお、以上の実施の形態においては、外側ケース２０の位置決め突起２５、取り付け突起２６を、接点端子３０の取り付け孔３２、位置決め孔３４にそれぞれ挿入することで、外側ケース２０に接点端子３０を取り付けたが、これらの形状や配置についても適宜変更可能である。また、例えば環状突起２４に平板部３３を接着するなど、他の任意の方法により取り付けてもよい。
【００３１】
また、本実施の形態では接点端子３０を充電用として用い、給電端子に接触させたが、本発明はこれに限らず、例えば接点端子を外部装置（クレードル）との間でデータ送受信するために通信端子に接触させてもよい。
【００３２】
また、上記実施形態では携帯電話機１を例に挙げて説明を行ったが、ノート型パーソナルコンピュータ、デジタルカメラ、腕時計、ＰＤＡ（Personal Digital Assistance）、電子手帳、携帯型無線機、その他の電子機器の接点端子３０に本発明を適用してもよい。
【図面の簡単な説明】
【００３３】
【図１】本発明の実施形態に係る携帯電話機１を電池蓋２７側から見た斜視図である。
【図２】図１の回路基板１２が取り付けられた内側ケース１０を、外側ケース２０が取り付けられる側から見た斜視図である。
【図３】図１の外側ケース２０及び接点端子３０を、内側ケース１０が取り付けられる側から見た分解斜視図である。
【図４】図１の切断線IV−IVの矢視断面図である。
【符号の説明】
【００３４】
８     下筐体（筐体）
１０   内側ケース（第２ケース部材）
１１   裏当て材
１２   回路基板
１５   電極パッド（電極）
２０   外側ケース（第１ケース部材）
２３   接点孔
２４   環状突起
３０   接点端子
３３   平板部
３５   延長部
【図１】
2006333072.tif 000003
【図２】
2006333072.tif 000004
【図３】
2006333072.tif 000005
【図４】
2006333072.tif 000006